(57)【要約】【課題】パネルによる目隠し効果と、パネルを透過する透過光の光量や通風量の確保とを、経済的に満たせるようにする。【解決手段】建物本体１と外部空間Ｖとの間に遮蔽状態に設置されたパネルＰに、多数の開口１０を設けてある建物構造であって、パネルＰは、外部空間Ｖ側に膨出する複数の膨出部７を備え、膨出部７を構成しているパネル面部８の内、パネルＰの一端側Ｐａに位置している一端側面部８Ａは、開口１０の開口率が、他の面部８Ｂ，８Ｃと異ならせてある。【選択図】図１
2015113681.tif 000002
【特許請求の範囲】
【請求項１】
建物本体と外部空間との間に遮蔽状態に設置されたパネルに、多数の開口を設けてある建物構造であって、
前記パネルは、前記外部空間側に膨出する複数の膨出部を備え、
前記膨出部を構成しているパネル面部の内、前記パネルの一端側に位置している一端側面部は、前記開口の開口率が、他の面部と異ならせてある建物構造。
【請求項２】
建物本体と外部空間との間に遮蔽状態に設置されたパネルに、多数の開口を設けてある建物構造であって、
前記パネルは、前記外部空間側に膨出する複数の膨出部を備え、
前記膨出部を構成しているパネル面部の内、前記パネルの一端側に位置している一端側面部は、前記開口の開口径が、他の面部と異ならせてある建物構造。
【請求項３】
前記パネルは、複数の波形が並設された波形板で構成してあり、前記波形のそれぞれが前記膨出部である請求項１又は２に記載の建物構造。
【請求項４】
前記パネルは、前記波形の稜線が、横配置となる遮蔽壁であり、前記一端側面部は、前記膨出部の上面であると共に、前記開口の開口率が、他の面部より大きく設定してある請求項３に記載の建物構造。
【発明の詳細な説明】
【技術分野】
【０００１】
本発明は、建物本体と外部空間との間に遮蔽状態に設置されたパネル（例えば、目隠しパネルや外装パネル等）に、多数の開口を設けてある建物構造に関する。
【背景技術】
【０００２】
従来、この種の建物構造としては、例えば、バルコニー（建物本体に相当）のフェンスとして目隠しパネル（パネルに相当）が取り付けてあるものがあり、平板に多数の貫通孔（開口）を形成したパンチングメタル等でパネルが構成され、パネルの貫通孔は、例えば、丸孔形状や、正方形形状に形成され、平板の全域に均等な分布で設けてあるものがあった（例えば、特許文献１参照）。
【先行技術文献】
【特許文献】
【０００３】
【特許文献１】特開２００８−６３８８３号公報（図１）
【発明の概要】
【発明が解決しようとする課題】
【０００４】
上述した従来の建物構造によれば、パネルによる目隠し効果を高める為には、開口径を小さくしたり、開口の数を少なくする必要がある。
しかしながら、開口径を小さくしたり、開口の数を少なくすると、光や外気が透過し難くなり、例えば、バルコニーにおいては、建築基準法上の屋外バルコニーとしての要件（開口率）を満たせなくなったり、パネルを通して入射する太陽光の光量が減少して、昼間でもバルコニーが暗くなってしまう。
この問題点を解消する為には、開口の開口径を大きくしたり、開口の数を増やすとことになるが、その場合は、目隠し効果が低下するという新たな問題が発生する。
即ち、パネルによる目隠し効果と、パネルを透過する透過光の光量や通風量の確保との両方を満たすことが困難であるという問題点がある。
また、パネルには、風圧等の外力が作用することがあるが、多数の開口が設けてあることによるパネルの強度低下を補う為に、パネル厚みを増加させたり、パネルの支持スパンを短くする等の対策が必要となり、結果的に設備費用が高くつくという問題点もある。
【０００５】
従って、本発明の目的は、上記問題点を解消し、パネルによる目隠し効果と、パネルを透過する透過光の光量や通風量の確保とを、経済的に満たすことができる建物構造を提供するところにある。
【課題を解決するための手段】
【０００６】
本発明の第１の特徴構成は、建物本体と外部空間との間に遮蔽状態に設置されたパネルに、多数の開口を設けてある建物構造であって、前記パネルは、前記外部空間側に膨出する複数の膨出部を備え、前記膨出部を構成しているパネル面部の内、前記パネルの一端側に位置している一端側面部は、前記開口の開口率が、他の面部と異ならせてあるところにある。
【０００７】
本発明の第１の特徴構成によれば、パネルは、外部空間側に膨出する複数の膨出部を備えているから、パネルの断面係数や断面二次モーメント等の断面特性が、板厚の同じ平板に比べて向上するから、多数の開口を設けてあっても、充分な剛性を確保することが可能となる。
従って、パネルとしての厚みを増加したり、パネルの支持スパンを短くすることを実施しなくても、風圧等の外力に対する耐力を確保できるようになる。その結果、設備費用の増加を抑えることができ、経済性を向上させることが可能となる。
【０００８】
また、上述のようなパネルに設けた膨出部の各面部を使用しながら、面部に応じて開口の開口率を異ならせてあるので、該当面部の向く方向において、パネルを透過する透過光の光量を他の面部と異ならせることができる。
【０００９】
つまり、一例を挙げれば、膨出部のパネル面部として、斜め上方を向く一端側面部と、斜め下方を向く他の面部とを備えたバルコニー目隠しパネルが設けられた建物構造の場合、前記一端側面部の開口の開口率を、前記他の面部の開口の開口率より大きく設定してあれば、斜め上方からバルコニーに照射される太陽光は、前記一端側面部の開口を通してバルコニーに入射するから、バルコニーでの日射量を充分確保することができる。また、斜め下方からバルコニーに向けた視線は、前記他の面部に設けられた開口率の小さい開口によって透過し難くでき、目隠し効果を発揮することができる。
また、パネル面部のすべての開口の合計面積を、所定値以上となるように設定しておけば、建築基準法上の屋外バルコニーとしての要件を満たすための開放面積を確保することが可能となり、良好な通風性を維持した状態で、日射量の確保、目隠し、及び、外部との遮蔽を、効果的に行うことが可能になる。
【００１０】
但し、膨出部のパネル面部は、斜め上方と斜め下方とを向く面部を備えて構成されるものに限るものでは無く、例えば、パネル正面に対して、右側を向く面部や、左側を向く面部や、正面を向く面部等、さまざまな構成が対象となる。従って、開口を透過する透過光も、先の一例のように下方からの視線と、上方からの太陽光に限るものではなく、例えば、一方からの（又は、一方に向けた）視線と他方からの（又は、他方に向けた）視線であったり、一方からの（又は、一方に向けた）視線と他方からの（又は、他方に向けた）照射光等、状況に応じて様々な透過光が対象となる。
従って、該当建物構造におけるパネルの用途は、バルコニーの目隠しパネルに限るものではなく、建物本体を取り巻く様々な位置に設けられるものが対象となる。
【００１１】
以上のように、本発明の特徴構成によれば、パネルによる目隠し効果と、パネルを透過する透過光の光量や通風量の確保とを、経済的に満たすことができる。
【００１２】
本発明の第２の特徴構成は、建物本体と外部空間との間に遮蔽状態に設置されたパネルに、多数の開口を設けてある建物構造であって、前記パネルは、前記外部空間側に膨出する複数の膨出部を備え、前記膨出部を構成しているパネル面部の内、前記パネルの一端側に位置している一端側面部は、前記開口の開口径が、他の面部と異ならせてあるところにある。
【００１３】
本発明の第２の特徴構成によれば、パネルは、外部空間側に膨出する複数の膨出部を備えているから、パネルの断面係数や断面二次モーメント等の断面特性が、板厚の同じ平板に比べて向上するから、多数の開口を設けてあっても、充分な剛性を確保することが可能となる。
従って、パネルとしての厚みを増加したり、パネルの支持スパンを短くすることを実施しなくても、風圧等の外力に対する耐力を確保できるようになる。その結果、設備費用の増加を抑えることができ、経済性を向上させることが可能となる。
【００１４】
また、上述のようなパネルに設けた膨出部の各面部を使用しながら、面部に応じて開口の開口径を異ならせてあるので、該当面部の向く方向において、パネルを透過する透過光の光量を他の面部と異ならせることができる。
【００１５】
つまり、一例を挙げれば、膨出部のパネル面部として、斜め上方を向く一端側面部と、斜め下方を向く他の面部とを備えたバルコニー目隠しパネルが設けられた建物構造の場合、前記一端側面部の開口の開口径を、前記他の面部の開口の開口径より大きく設定してあれば、斜め上方からバルコニーに照射される太陽光は、前記一端側面部の開口を通してバルコニーに入射するから、バルコニーでの日射量を充分確保することができる。また、斜め下方からバルコニーに向けた視線は、前記他の面部に設けられた開口径の小さい開口によって透過し難くでき、目隠し効果を発揮することができる。
また、パネル面部のすべての開口の合計面積を、所定値以上となるように設定しておけば、建築基準法上の屋外バルコニーとしての要件を満たすための開放面積を確保することが可能となり、良好な通風性を維持した状態で、日射量の確保、目隠し、及び、外部との遮蔽を、効果的に行うことが可能になる。
【００１６】
但し、膨出部のパネル面部は、斜め上方と斜め下方とを向く面部を備えて構成されるものに限るものでは無く、例えば、パネル正面に対して、右側を向く面部や、左側を向く面部や、正面を向く面部等、さまざまな構成が対象となる。従って、開口を透過する透過光も、先の一例のように下方からの視線と、上方からの太陽光に限るものではなく、例えば、一方からの（又は、一方に向けた）視線と他方からの（又は、他方に向けた）視線であったり、一方からの（又は、一方に向けた）視線と他方からの（又は、他方に向けた）照射光等、状況に応じて様々な透過光が対象となる。
従って、該当建物構造におけるパネルの用途は、バルコニーの目隠しパネルに限るものではなく、建物本体を取り巻く様々な位置に設けられるものが対象となる。
【００１７】
以上のように、本発明の特徴構成によれば、パネルによる目隠し効果と、パネルを透過する透過光の光量や通風量の確保とを、経済的に満たすことができる。
【００１８】
本発明の第３の特徴構成は、前記パネルは、複数の波形が並設された波形板で構成してあり、前記波形のそれぞれが前記膨出部であるところにある。
【００１９】
本発明の第３の特徴構成によれば、パネルは、複数の波形が並設された波形板で構成され、波形のそれぞれが膨出部であるから、波形の波長方向での波前後面を、それぞれ膨出部のパネル面部として使用し、透過光の光量がそれぞれのパネル面部で異なるように開口を設けることができる。
パネル面部に開口を設ける上で、波形の稜線に沿う方向で、開口を画一的に形成すれば、各パネル面毎に、透過光の光量のバラツキを少なくでき、目隠し効果、及び、透過光の光量確保効果を、それぞれ安定して得ることができる。
また、波形の稜線に沿う方向で、開口の大きさ又は密度等に変化をつけた状態に設けることも可能となり、その場合は、波形板の波長方向での単純な波形の繰り返しによる単調な意匠感と、波形の稜線に沿う方向での開口の変化に富んだ意匠感との融合により、デザイン性に富んだ複雑な外観を得ることができ、建物としての美観性の向上を図ることが可能となる。
また、パネルの断面係数や断面二次モーメント等の断面特性を、パネルの全域においてバラツキの少ない状態で確保しやすくなる。
【００２０】
本発明の第４の特徴構成は、前記パネルは、前記波形の稜線が、横配置となる遮蔽壁であり、前記一端側面部は、前記膨出部の上面であると共に、前記開口の開口率が、他の面部より大きく設定してあるところにある。
【００２１】
本発明の第４の特徴構成によれば、一端側面部は、建物本体から外部空間側を向いた状態で、斜め上方を向いており、その一端側面部での開口の開口率が、他の面部より大きく設定してあるから、斜め上方から建物本体に照射される太陽光は、開口率の大きい一端側面部の開口を通して建物本体に入射し、建物本体での日射量を充分確保することができる。
また、前記他の面部は、建物本体から外部空間側を向いた状態で、斜め下方を向いており、前記他の面部での開口の開口率が、前記一端側面部より小さく設定してあるから、前記他の面部においては光が透過し難くなり、斜め下方から建物本体に向けた視線に対する目隠し効果を発揮することができる。
また、同様の効果は、例えば、複数の傾斜帯板を上下間隔を明けて配置してあるガラリ等によっても叶えることは可能であるが、その場合は、本特徴構成の建物構造に比べて、部品点数が多くなる他、複数の傾斜帯板を縦桟に取り付ける等の組立手間が掛かり、高価になりやすい問題点がある。更には、各傾斜帯板等の脱落や意に反して取り外される危険があることから、遮蔽壁としてのセキュリティー上の問題点がある。
これらの問題点は、本発明の特徴構成によれば、すべて解消することができる。
【図面の簡単な説明】
【００２２】
【図１】建物構造を示す断面図
【図２】パネルを示す要部斜視図
【図３】パネルを示す要部縦断面図
【図４】別実施形態の建物構造を示す要部平面図
【図５】別実施形態のパネルを示す一部切欠斜視図
【発明を実施するための形態】
【００２３】
以下に本発明の実施の形態を図面に基づいて説明する。
【００２４】
図１は、本発明の建物構造の一実施形態を示すもので、複数階層を備えた建物本体１の側面にパネルＰを設けてある状況を示している。
【００２５】
建物本体１は、当該実施形態においては、データーセンターを例を挙げて説明するものであり、外周部には通路状のバルコニー２が、各階層毎に設けられている。
建物本体１の室内には、コンピュータ等の演算設備１ａ、空調設備１ｂ等が配置されており、バルコニー２には、空調設備１ｂに連通接続された冷媒配管等の複数の空調用配管３が配置されている。
【００２６】
空調用配管３は、バルコニー２の下部に沿わせて支持されており、バルコニー２の床面上は、自由に通行したり、メンテナンスに使用できるように空けてある。
各空調用配管３の支持は、バルコニー２の外縁位置に立設されているＨ形鋼製の支柱４から建物本体１側にわたって設置されたＨ形鋼製の梁部材５の上に、それぞれを並列させてバルコニー２の長手方向に沿う状態に載置固定することで実施されている。
【００２７】
支柱４は、バルコニー２の長手方向に横間隔を空けた複数箇所に、最下層から最上層まで達する状態に立設してある。
【００２８】
パネルＰは、隣接する支柱４にわたって固定してあり、外部から、バルコニー２に侵入者が入れないように遮蔽壁として構成されている。
パネルＰは、図２、図３に示すように、複数の波形６が並設された金属製の波形板Ｐ１で構成してあり、波形６の稜線Ｘが横配置となる状態で支柱４に固着してある。
波形６の形状は、建物本体１側から外部空間Ｖ側に台形形状に膨出する形状を呈している。この波形６それぞれが、膨出部７を構成している。
【００２９】
当該実施形態においては、膨出部７は、上述のように断面台形形状に形成されているから、パネル面部８としては、外部空間Ｖ側に下り勾配の上傾斜面部（一端側面部の一例）８Ａと、上傾斜面部８Ａの先端縁部から下方に屈曲した正面部（他の面部の一例）８Ｂと、正面部８Ｂの下縁部から建物本体１側に下り勾配で屈曲した下傾斜面部（他の面部の一例）８Ｃとを備えて構成されている。
また、上下の膨出部７どうしは、連結面部９によって連結されており、この連結面部９を支柱４にネジ固定することでパネルＰは固着されている。
【００３０】
パネル面部８には、それぞれ多数の開口１０が形成してある。
各開口１０の横方向の中心部間隔は、同じ寸法となるように設定されている。
また、開口１０の単体開口面積は、各パネル面部８毎に異なる値となるように設定してある。
当該実施形態においては、膨出部７を構成しているパネル面部８の内、パネルＰの上端側（パネルＰの一端側の一例）Ｐａに位置している上傾斜面部８Ａは、その上傾斜面部８Ａに形成されている開口１０Ａの開口径φＡが、正面部８Ｂに形成されている開口１０Ｂの開口径φＢや、下傾斜面部８Ｃに形成されている開口１０Ｃの開口径φＣより大きく設定されている。
具体的には、開口１０そのものは、四角形の角を丸めた形状に形成してあり、ここでいう開口径φとは、四角形の一辺の長さ（又は四辺の平均値）を意味する。尚、開口１０が円形（又は楕円形）の場合は、開口径φは、直径（又は平均径）を意味する。
従って、（該当面部の全開口面積／該当面部の全面積）で求められる開口率は、上傾斜面部８Ａの開口率が、正面部８Ｂや下傾斜面部８Ｃでの開口率より大きく設定されている。
【００３１】
その結果、図３に示すように、斜め上方から照射される太陽光Ｌ１は、上傾斜面部８Ａの開口１０Ａを通してその大半がバルコニー２に照射され、バルコニー２での受光量を充分確保することができる。
また、斜め下方からの視線Ｌ２は、正面部８Ｂや下傾斜面部８Ｃの小さい開口１０Ｂ，１０Ｃによる目隠し効果によって、その大半が遮断され、建物外部から見通されにくくできる。尚、上傾斜面部８Ａは、斜め下方からの視線Ｌ２に沿った方向に設けられているから、そこに形成された大きい開口１０Ａを視線Ｌ２が通過することがなく、目隠し効果の低下にはつながりにくい。
【００３２】
当該実施形態の建物構造によれば、パネルＰに多数の開口１０を形成してあるにもかかわらず、波形板Ｐ１を使用してあることで、平板に比べて断面係数や断面二次モーメント等の断面特性を大きく確保することができ、外部空間Ｖに面したパネルＰ全体として充分な剛性を確保することが可能となる。
また、バルコニー２での日射量を充分確保できながら、建物外部の下方からの視線に対する目隠し効果を発揮することができる。
また、一体の波形板Ｐ１を使用したパネルＰによって遮蔽壁を構成しているから、例えば、複数の部品を組み合わせて形成するガラリに比べて経済性が高い上、部品の脱落や、部品が外部から取り外される等の危険性が低く、セキュリティー上の安全性も高い。
更には、パネル面部８のすべての開口１０の合計面積を、所定値以上となるように設定しておけば、建築基準法上の屋外バルコニーとしての要件を満たすための開放面積を確保することが可能となる。
【００３３】
〔別実施形態〕
以下に他の実施の形態を説明する。
【００３４】
〈１〉  建物本体１は、先の実施形態で説明したデータセンターに限るものではなく、各種用途の建物が対象となり得る。
【００３５】
〈２〉  パネルＰは、先の実施形態で説明した建物本体１の側方に壁として設けられる構成に限るものではなく、例えば、建物本体１の上方に水平配置（又は、傾斜配置）される構成であってもよい。
従って、膨出部７を構成しているパネル面部８の内、パネルＰの一端側Ｐａとは、先の実施形態で説明した上端側に限るものではなく、例えば、下端側であったり、パネルＰが水平配置の場合は、横方向での一端側であってもよい。
また、開口１０の開口率（又は開口径）は、パネルの一端側に位置している一端側面部８Ａが、他の面部８Ｂ，８Ｃより大きいことに限らず、小さいものであってもよい。
要するに、パネルＰは、外部空間Ｖ側に膨出する複数の膨出部７を備え、膨出部７を構成しているパネル面部８の内、パネルＰの一端側に位置している一端側面部８Ａは、開口１０の開口率（又は開口径）が、他の面部８Ｂ，８Ｃと異ならせてあればよい。
【００３６】
〈３〉  開口１０は、先の実施形態で説明した四角形の角を丸めた形状に限るものではなく、例えば、三角形や五角形以上の多角形であったり、円形や楕円形であったり、それらを組み合わせた形状等、特に規定されるものではない。
また、開口１０そのものは、パネル面部８を貫通する貫通孔として形成されるもの以外に、開口１０を透明体（例えば、透明フィルムや透明シート等）で閉塞して、空気の流通を遮断した状態で光の透過を許容できるように構成してあってもよい。
【００３７】
〈４〉  パネルＰは、先の実施形態で説明した膨出部７として台形形状の波形６を備えた波形板Ｐ１に限るものではなく、例えば、図４に示すように、膨出部７として丸波形状の波形を備えた波形板Ｐ２で構成してあってもよい。
また、波形の稜線Ｘが横配置となる設置姿勢に限るものではなく、例えば、図４に示すように、波形の稜線Ｘが縦配置となるように設置してあってもよい。
この実施形態においては、例えば、該当建物本体１の立地条件として、パネルＰの一端側Ｐａが、海岸や山等の景観の美しい領域Ｋ１側に位置し、パネルＰの他端側Ｐｂが、隣接家屋等の目隠しを要する領域Ｋ２側に位置するような場合に有効である。
つまり、パネル面部８の内、一端側面部８Ａの開口１０は、他の面部８Ｂ，８Ｃより開口率、及び、開口径を大きく設定してあることで、建物本体１からの視線として、領域Ｋ１の景観は、大きい開口１０を通して観賞でき、且つ、領域Ｋ２からの視線は小さい開口１０によって目隠しすることが可能となる。
【００３８】
〈５〉  パネルＰは、先の実施形態で説明した膨出部７として波形６を備えて構成してあるものに限るものではなく、例えば、図５に示すように、扁平ピラミット形状に形成してあってもよい。尚、図５の記載は、開口１０を省略している。
この実施形態の場合、一例として、図に示すように、扁平ピラミット形状のパネル面部８の内、上傾斜面を形成する一端側面部８Ａの開口率を、他の面部８Ｂ，８Ｃより大きく設定してあれば、先の実施形態と同様に、建物本体１への日射量を充分確保できながら、建物外部の下方からの視線に対する目隠し効果を発揮することができる。
【００３９】
〈６〉  開口１０を透過する透過光は、先の実施形態で説明した太陽光や視線に限るものではなく、例えば、建物の内部、又は、外部に設置された照明装置からの照射光であってもよい。
【００４０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４１】
１      建物本体
６      波形
７      膨出部
８      パネル面部
８Ａ    上傾斜面部（一端側面部の一例）
８Ｂ    正面部（他の面部の一例）
８Ｃ    下傾斜面部（他の面部の一例）
１０    開口
Ｐ      パネル
Ｐａ    上端側（パネルＰの一端側の一例）
Ｐ１    波形板
Ｐ２    波形板
Ｖ      外部空間
Ｘ      稜線
【図１】
2015113681.tif 000003
【図２】
2015113681.tif 000004
【図３】
2015113681.tif 000005
【図４】
2015113681.tif 000006
【図５】
2015113681.tif 000007